(57)【特許請求の範囲】
【請求項１】
発光手段を予備発光させて得られた反射光の光量に応じて撮影の際の発光量である本発光量を求める撮像装置であって、
前記反射光を受光する第１の画素群および第２の画素群と、
前記第１の画素群および前記第２の画素群に対する電荷蓄積時間およびゲインを異ならせかつ露光のタイミングを制御して、前記第１の画素群および前記第２の画素群の出力に基づいて前記本発光量を決定する制御手段と、を有し、
前記制御手段は、前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御し、
前記発光手段の予備発光のタイミングと前記第１の画素群および前記第２の画素群の露光のタイミングが重なるように制御することを特徴とする撮像装置。
【請求項２】
前記第１の画素群および前記第２の画素群を有し、前記反射光を受光する第１の撮像素子を備えることを特徴とする請求項１に記載の撮像装置。
【請求項３】
前記第１の画素群を有し、前記反射光を受光する第１の撮像素子と、
撮影の際に光学像が結像されて当該光学像に応じた画像を出力する第２の撮像素子とを備え、
前記第２の撮像素子の複数の画素を前記第２の画素群として用いることを特徴とする請求項１に記載の撮像装置。
【請求項４】
前記制御手段は、撮影の際の環境光の変動の周期よりも前記電荷蓄積時間を短く設定することを特徴とする請求項１乃至３のいずれか１項に記載の撮像装置。
【請求項５】
前記制御手段は、前記前記第１の画素群の出力と前記第２の画素群の出力との差分を求めて当該差分に基づいて前記本発光量を決定することを特徴とする請求項１乃至４のいずれか１項に記載の撮像装置。
【請求項６】
発光手段を予備発光させて得られた反射光を受光する第１の画素群および第２の画素群を備え、前記反射光の光量に応じて撮影の際の発光量である本発光量を求める撮像装置の制御方法であって、
前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御するステップと、
前記発光手段の予備発光のタイミングと前記第１の画素群および前記第２の画素群の露光のタイミングが重なるように制御するステップと、
前記第１の画素群および前記第２の画素群の出力に基づいて前記本発光量を決定するステップと、
を有することを特徴とする制御方法。
【請求項７】
発光手段を予備発光させて得られた反射光を受光する第１の画素群および第２の画素群を備え、前記反射光の光量に応じて撮影の際の発光量である本発光量を求める撮像装置で用いられる制御プログラムであって、
前記撮像装置が備えるコンピュータに、
前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御するステップと、
前記発光手段の予備発光のタイミングと前記第１の画素群および前記第２の画素群の露光のタイミングが重なるように制御するステップと、
前記第１の画素群および前記第２の画素群の出力に基づいて前記本発光量を決定するステップと、
を実行させることを特徴とする制御プログラム。
【発明の詳細な説明】
【技術分野】
【０００１】
本発明は、デジタルカメラなどの撮像装置、その制御方法、および制御プログラムに関し、特に、発光装置を備える撮像装置における発光装置の調光制御に関する。
【背景技術】
【０００２】
一般に、ストロボ装置などの発光装置を備える撮像装置において、発光装置の予備発光による測光結果と環境光のみの測光結果とを用いて、撮影の際の本発光量を求めるようにしたものがある。
【０００３】
例えば、予備発光による光が被写体で反射した反射光を測光し、さらに、予備発光の直前又は直後に環境光のみの測光するようにした撮像装置がある（特許文献１参照）。この撮像装置では、予備発光による測光においては反射光および環境光が得られ、当該測光出力から環境光のみの測光で得られた測光出力を減算して反射光成分を抽出して、当該反射光成分に応じて本発光量を決定している。
【先行技術文献】
【特許文献】
【０００４】
【特許文献１】特開２０１３−４４９９７号公報
【発明の概要】
【発明が解決しようとする課題】
【０００５】
ところで、環境光の光量が時間的に変化するような場合には、予備発光の際の電荷蓄積タイミングと環境光のみの電荷蓄積タイミングとにおいて環境光の光量が異なることがある。この場合には、特許文献１においては精度よく反射光成分を抽出できず、正確に本発光量を求めることが困難である。その結果、本発光量が撮影毎にばらつくこともある。
【０００６】
なお、環境光の光量が時間的に変化する例として、蛍光灯などの人工光源によって生じるフリッカー現象がある。室内光源として普及している蛍光灯は、商用電源の周期的な電圧変化の影響によって周期的に照明光量が変動する。
【０００７】
そこで、本発明の目的は、環境光の変動による本発光量のばらつきを低減することのできる撮像装置、その制御方法、および制御プログラムを提供することにある。
【課題を解決するための手段】
【０００８】
上記の目的を達成するため、本発明による撮像装置は、発光手段を予備発光させて得られた反射光の光量に応じて撮影の際の発光量である本発光量を求める撮像装置であって、前記反射光を受光する第１の画素群および第２の画素群と、前記第１の画素群および前記第２の画素群に対する電荷蓄積時間およびゲインを異ならせかつ露光のタイミングを制御して、前記第１の画素群および前記第２の画素群の出力に基づいて前記本発光量を決定する制御手段と、を有し、前記制御手段は、前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御し、前記発光手段の予備発光のタイミングと前記第１の画素群および前記第２の画素群の露光のタイミングが重なるように制御することを特徴とする。
【０００９】
本発明による制御方法は、発光手段を予備発光させて得られた反射光を受光する第１の画素群および第２の画素群を備え、前記反射光の光量に応じて撮影の際の発光量である本発光量を求める撮像装置の制御方法であって、前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御するステップと、前記発光手段の予備発光のタイミングと前記第１の画素群および前記第２の画素群の露光のタイミングが重なるように制御するステップと、前記第１の画素群および前記第２の画素群の出力に基づいて前記本発光量を決定するステップと、を有することを特徴とする。
【００１０】
本発明による制御プログラムは、発光手段を予備発光させて得られた反射光を受光する第１の画素群および第２の画素群を備え、前記反射光の光量に応じて撮影の際の発光量である本発光量を求める撮像装置で用いられる制御プログラムであって、前記撮像装置が備えるコンピュータに、前記第１の画素群に対する電荷蓄積時間が前記第２の画素群に対する電荷蓄積時間の所定倍率となるように制御するとともに、前記第２の画素群に対するゲインが前記第１の画素群に対するゲインの前記所定倍率となるように制御するステップと、前記発光手段の予備発光のタイミングと前記第１の画素群および前記第２の画素群の露光のタイミングが重なるように制御するステップと、前記第１の画素群および前記第２の画素群の出力に基づいて前記本発光量を決定するステップと、を実行させることを特徴とする。
【発明の効果】
【００１１】
本発明によれば、環境光が時間的に変化する撮影環境においても、環境光の変動による本発光量のばらつきを低減することができる。
【図面の簡単な説明】
【００１２】
【図１】環境光の光量の時間的変化に起因する本発光量のばらつきを説明するための図である。
【図２】本発明の実施の形態による撮像装置の一例についてその構成を示す図である。
【図３】図２に示すカメラにおいてストロボを発光させて撮影を行う際の処理を説明するためのフローチャートである。
【図４】図３に示す調光動作において測光センサの駆動を説明するための図である。
【図５】図１に示す測光センサに備えられた撮像素子における画素群の配列の一例を示す図である。
【発明を実施するための形態】
【００１３】
以下に、本発明の実施の形態による撮像装置の一例について図面を参照して説明する。
【００１４】
まず、本発明の実施の形態による撮像装置について説明する前に、環境光の光量の時間的変化に起因する本発光量のばらつきについて概説する。
【００１５】
図１は、環境光の光量の時間的変化に起因する本発光量のばらつきを説明するための図である。
【００１６】
いま、図１に示すように、フリッカー現象などに起因して、環境光の光量が所定の周期で変化しているものとする。この際、撮影の際の本発光量を算出するため、環境光のみによる電荷蓄積と予備発光による反射光（環境光を含む）による電荷蓄積を行って、反射光成分のみを抽出する。
【００１７】
まず、撮像素子を駆動して（センサ駆動）、環境光のみによる電荷蓄積（環境光蓄積）を行って、当該電荷を読み出す（第１の読み出し結果）。この際、環境光の光量はほぼピークにある。その後、発光装置（ストロボ）を予備発光させて、反射光（環境光を含む）による電荷蓄積（予備発光蓄積）を行って、当該電荷を読み出す（第２の読み出し結果）。この際、環境光の光量はピークに比べて半分以下となっている。
【００１８】
この結果、第２の読み出し結果から第１の読み出し結果を減算して反射光成分を得ようとしても、第１の読み出し結果においては環境光の光量が大きいので、環境光の影響が残ってしまい、精度よく反射光成分を得ることができない。さらに、環境光蓄積のタイミングおよび予備発光蓄積のタイミングが異なれば、環境光の影響も異なることになって、本発光量を求める都度、抽出によって得られる反射光成分が異なってしまう。このため、撮影毎に本発光量がばらつくことになる。
【００１９】
よって、本発明の実施の形態による撮像装置では、以下に説明するようにして、このような環境光の変動による本発光量のばらつきを低減する。
【００２０】
図２は、本発明の実施の形態による撮像装置の一例についてその構成を示す図である。
【００２１】
図示の撮像装置は、例えば、デジタル一眼レフカメラ（以下単にカメラと呼ぶ）であり、カメラ本体（撮像装置本体）１００および撮影レンズユニット（以下単に撮影レンズと呼ぶ）２００を備えている。そして、カメラ本体１００と撮影レンズ２００とは互いに機械的および電気的に接続されている。
【００２２】
カメラ本体１００には、マイクロコンピュータ（ＣＰＵ：以下カメラマイコンと呼ぶ）１０１が備えられており、カメラマイコン１０１はカメラ全体の制御を司る。カメラマイコン１０１はＲＡＭおよびＲＯＭなどのメモリ１０２が接続され、当該メモリ１０２は制御用プログラムを格納するとともに、カメラマイコン１０１の作業領域として用いられる。
【００２３】
撮影レンズ２００の光軸上にはＣＣＤ又はＣＭＯＳイメージセンサなどの撮像素子１０３が配置されており、この撮像素子１０３には赤外カットフィルタおよびローパスフィルタなどが備えられている。そして、撮像素子１０３には撮影レンズ２００を介して光学像が結像し、撮像素子１０３は光学像に応じた電気信号を出力する。
【００２４】
撮像素子１０３の前面側にはシャッター１０４が配置されており、当該シャッター１０４によって非撮影の際には撮像素子１０３が遮光され、撮影の際にはシャッター１０４を開いて撮像素子１０３に光が入射する。
【００２５】
シャッター１０４の前段には、ハーフミラー１０５が配置されており、当該ハーフミラー１０５は、非撮影の際に撮影レンズ２００を介して入射する光の一部を反射して、光学像をピント板１０６に結像する。なお、ハーフミラー１０５は撮影の際には光軸から退避する。
【００２６】
ピント板１０６の上側には表示素子１０７が配置されている。表示素子１０７は、例えば、ＰＮ液晶装置であり、表示素子１０７には、ＡＦ測距枠、画像サイズ、およびホワイトバランスの設定などが表示される。
【００２７】
ピント板１０６に結像した光学像はペンタプリズム１０９を介して測光センサ（ＡＥ）１０８および光学ファインダー（図示せず）に導かれる。測光センサ１０８はＣＣＤ又はＣＭＯＳイメージセンサなどの撮像素子を備えている。画像処理演算用のＣＰＵ（以下ＩＣＰＵと呼ぶ）１１０は、カメラマイコン１０１の制御下で撮像素子１０３および測光センサ１０８を駆動制御する。さらに、ＩＣＰＵ１１０は測光センサ１０８の出力に応じて調光処理、被写体検出処理、被写体追尾、およびフリッカー検出を行う。ＩＣＰＵ１１０にはＲＡＭおよびＲＯＭなどのメモリ１１１が接続されている。
【００２８】
なお、図示の例では、ＩＣＰＵ１１０によって上述の各種処理を行うようにしたが、ＩＣＰＵ１１０を備えずに、カメラマイコン１０１が直接上記の処理を行うようにしてもよい。
【００２９】
カメラ本体１００には、発光装置であるストロボ装置（以下単にストロボと呼ぶ）１１２が備えられており。後述するようにして、撮影の際にＩＣＰＵ１１０は本発光量に基づいてストロボ１１２を発光制御する。
【００３０】
撮影レンズ２００はフォーカスレンズなどのレンズ群および絞り（図示せず）を有しており、レンズマイコン（ＬＰＵ）２０１は、カメラマイコン１０１の制御下でフォーカスレンズを駆動制御するとともに、絞りを制御する。また、ＬＰＵ２０１はカメラと被写体との距離を示す距離情報などをカメラマイコン１０１に送る。
【００３１】
図３は、図２に示すカメラにおいてストロボを発光させて撮影を行う際の処理を説明するためのフローチャートである。
【００３２】
カメラの電源が投入されると、カメラマイコン１０１は測光許可状態を示す測光タイマ（図示せず）がＯＮであるか否かを判定する（ステップＳ１０１）。なお、測光タイマはカメラの電源が投入されるとＯＮとなり、所定の時間、カメラが操作されないとＯＦＦとなる。さらに、シャッターボタンが半押しされて、第１のシャッタースイッチＳＷ１がＯＮとなると、測光タイマはＯＮとなる。
【００３３】
測光タイマがＯＦＦであると（ステップＳ１０１において、ＮＯ）、カメラマイコン１０１は待機する。一方、測光タイマがＯＮであると（ステップＳ１０１において、ＹＥＳ）、カメラマイコン１０１は通常測光を行う（ステップＳ１０２）。
【００３４】
通常測光においては、環境光による測光が行われる。この際、フリッカー光源下であっても、フリッカーによる明暗の変化に対して測光値がばらつかないように、測光センサ１０８における蓄積時間をフリッカーの周期のほぼ整数倍に設定することが望ましい。
【００３５】
なお、フリッカー光源の明暗が変化する際の周波数（以下フリッカー周波数と呼ぶ）は、商用電源の周波数の２倍であるので、商用電源周波数が５０Ｈｚの地域ではフリッカー周波数は１００Ｈｚとなってフリッカー光源の明暗の周期（フリッカー発光周期）は１０ｍｓとなる。同様に、商用電源周波数が６０Ｈｚの地域では、フリッカー周波数は１２０Ｈｚとなり、そのフリッカー発光周期８．３３ｍｓとなる。
【００３６】
上記の２つのフリッカー周波数に対応するため、測光センサ１０８における電荷の蓄積時間をフリッカー発光周期１０ｍｓおよび８．３３ｍｓの間の９ｍｓ程度に設定する。これによって、商用電源周波数が５０Ｈｚおよび６０Ｈｚのいずれであっても、ほぼフリッカーの１周期分について電荷の蓄積が行われることになる。この結果、フリッカー環境下においても、測光センサ１０８によって安定して測光値を得ることができる。そして、カメラマイコン１０２は、ＩＣＰＵ１１０によって測光センサ１０８で得られた測光値に基づいて、本発光の際のシャッタースピード、絞り、およびＩＳＯ感度などを決定する。
【００３７】
続いて、カメラマイコン１０１は、シャッターボタンが全押しされて第２のシャッタースイッチＳＷ２がＯＮとなったか否かを判定する（ステップＳ１０３）。第２のシャッタースイッチＳＷ２がＯＦＦであると（ステップＳ１０３において、ＮＯ）、カメラマイコン１０１はステップＳ１０１の処理に戻る。
【００３８】
一方、第２のシャッタースイッチＳＷ２がＯＮであると（ステップＳ１０３において、ＹＥＳ）、カメラマイコン１０１はＩＣＰＵ１１０によって調光動作（調光処理）を行う（ステップＳ１０４）。
【００３９】
図４は、図３に示す調光動作において測光センサの駆動を説明するための図である。
【００４０】
測光センサ１０８に備えられた撮像素子は、複数の画素が画素群Ａおよび画素群Ｂにグループ分けされている。ＩＣＰＵ１１０は、カメラマイコン１０１の制御下で画素群Ａおよび画素群Ｂの電荷蓄積時間（以下単に蓄積時間と呼ぶ）およびゲインを異ならせて（つまり、露出条件を異ならせて）、測光センサ１０８を露光する。この際、ＩＣＰＵ１１０は画素群Ａおよび画素群Ｂにおいて電荷蓄積のタイミングが略一致するように制御する。図示の例では、画素群Ａにおいては蓄積時間をＴ、ゲインを２倍とし、画素群Ｂにおいては蓄積時間２Ｔ（画素群Ａの蓄積時間の２倍）、ゲインを１倍とする。つまり、ＩＣＰＵ１１０は画像群Ａについて短秒蓄積を行った後画素読み出しを行い、画素群Ｂについては長秒蓄積を行った後画素読み出しを行う。なお、この際には、ＩＣＰＵ１１０はストロボ１１２を予備発光する。
【００４１】
蛍光灯又はＬＥＤなどによるフリッカーが存在すると、環境光の変動周期（つまり、発光周期）は、前述のように、１０ｍｓ又は８．３３ｍｓとなる。ストロボによる調光の際に、蓄積時間を通常測光と同様に９ｍｓ程度に設定しようとすると、ストロボの発光による反射光が環境光の影響を受けて正しい調光ができなくなってしまうことがある。従って、調光の際の蓄積時間Ｔは数十μ秒〜数百μ秒程度に設定することが望ましい。
【００４２】
蓄積時間Ｔを数十μ秒〜数百μ秒程度に設定すると、画素群Ｂの蓄積時間が画素群Ａの蓄積時間に対して２倍であっても環境光の変動に対して十分短いので環境光はほぼ一定とみなすことができる。
【００４３】
上述のように、測光センサ１０８の露出条件を設定して、かつ電荷蓄積タイミングを略一致させると、環境光に関しては、画素群Ａおよび画素群Ｂにおいてほぼ同一の光量が得られ、予備発光による反射光ついては、画素群Ａに対して画素群Ｂは半分の光量が得られることになる。
【００４４】
画素群Ａにおける受光光量をＥａ、画素群Ｂにおける受光光量をＥｂとして、予備発光による反射光の光量積分値をＦｐｒｉ、環境光の光量をＥｅ（ｔ）とすると、受光光量ＥａおよびＥｂは次の式（１）および式（２）で表される。
【００４５】
【数１】
0006700747.tif 000002
【００４６】
ここで、画素群Ａおよび画素群Ｂの蓄積タイミングが略一致し、かつ蓄積時間Ｔが十分短いので、次の式（３）で示す関係が成り立つ。
【００４７】
【数２】
0006700747.tif 000003
【００４８】
よって、式（１）〜式（３）によって次の式（４）で示す関係が得られる。
【００４９】
Ｅａ−Ｅｂ＝Ｆｐｒｉ      （４）
式（４）においては、画素群Ａ（第１の画素群）の受光光量Ｅａと画素群Ｂ（第２の画素群）の受光光量Ｅｂの差分によって反射光成分のみが抽出されており、ＩＣＰＵ１１０は当該反射光成分に基づいて本発光量を決定する。
【００５０】
図５は、図１に示す測光センサに備えられた撮像素子における画素群Ａおよび画素群Ｂの配列の一例を示す図である。
【００５１】
図示の例では、１行目および２行目が画素群Ａとされ、３行目および４行目が画素群Ｂとされる。続いて、撮像素子における消費電力削減および処理時間短縮のため、５行目〜８行目が間引き画素群とされる。そして、以後２行ずつ画素群Ａおよび画素群Ｂが配列された後、４行の間引き画素群が配列される。なお、画素群Ａおよび画素群Ｂの配列や、間引き画素群の有無および配列は限定されない。
【００５２】
ステップＳ１０４の処理によって本発光量を決定した後、カメラマイコン１０１はＩＣＰＵ１１０によって当該本発光量でストロボ１１２を発光させて撮影を行う。なお、本発光の際には、測光センサ１０８に備えられた撮像素子の全画素は同一の露出条件で駆動される。
【００５３】
上述の例では、測光センサ１０８に備えられた１つの撮像素子を用いて、調光を行う例については説明したが、２つの撮像素子を用いて調光を行うようにしてもよい。ここでは、撮像素子１０３と測光センサ１０８に備えられた撮像素子とを用いて調光を行う例について説明する。
【００５４】
なお、ここでは、撮像素子１０３と測光センサ１０８に備えられた撮像素子とを用いて調光を行う例について説明するが、カメラ本体に同一の撮像素子を２つ備えて、調光を行うようにしてもよい。
【００５５】
撮像素子１０３および測光センサ１０８において電荷蓄積のタイミングを略一致させ、かつ環境光が同一の光量となるように蓄積時間およびゲインを設定して撮像素子１０３および測光センサ１０８を駆動する。
【００５６】
但し、測光センサ１０８に入射する光量は、ピント板１０６および表示素子１０７の影響によって撮像素子１０３に入射する光量よりも少ない。従って、ハーフミラー１０５の反射率を調整して撮像素子１０３および測光センサ１０８に同一の光量が入射するようにすることが望ましい。撮像素子１０３および測光センサ１０８に同一の光量が入射すれば、前述のようにして反射光成分を抽出して本発光量を決定することができる。
【００５７】
一方、撮像素子１０３および測光センサ１０８に入射する光量が異なる場合には、環境光の光量が一致するように蓄積時間のみを調整して調光する。
【００５８】
いま、撮像素子１０３の受光光量をＥｓとし、測光センサ１０８の受光光量をＥｅとして、予備発光による反射光の光量積分値をＦｐｒｉ、環境光の光量をＥｅ（ｔ）、そして、撮像素子１０３および測光センサ１０８の照度の段数差をＥｄとする。受光光量ＥｓおよびＥｅは次の式（５）および式（６）で表すことができる。
【００５９】
【数３】
0006700747.tif 000004
【００６０】
ここで、∫Ｅ（ｔ）ｄｔ＝∫Ｅ（ｔ）／２Ｅｄｄｔとなるように、測光センサ１０８の蓄積時間を撮像素子１０３の蓄積時間のＥｄ段分長く設定する。これによって、次の式（７）で示す関係が得られる。
【００６１】
【数４】
0006700747.tif 000005
【００６２】
式（７）においては、予備発光による反射光成分のみが抽出されており、ＩＣＰＵ１１０は予備発光による被写体反射光量Ｆｐｒｉ（１−１／２Ｅｄ）を基準として、本発光に必要な光量が何段異なるかについて演算を行って、当該演算結果に基づいて本発光量を決定する。
【００６３】
このように、本発明の実施の形態では、環境光が時間的に変化する環境下においても、精度よく予備発光による反射光成分を抽出できる結果正確な調光ができ、本発光量のばらつきを低減することができる。
【００６４】
上述の説明から明らかなように、図２に示す例では、カメラマイコン１０１およびＩＣＰＵ１１０が制御手段として機能する。
【００６５】
以上、本発明について実施の形態に基づいて説明したが、本発明は、これらの実施の形態に限定されるものではなく、この発明の要旨を逸脱しない範囲の様々な形態も本発明に含まれる。
【００６６】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００６７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１００  カメラ本体
１０１  カメラマイコン
１０３  撮像素子
１０８  測光センサ
１０５  ハーフミラー
１０６  ピント板
１０７  表示素子
１１０  ＩＣＰＵ
１１２  ストロボ
２００  撮影レンズ
【図１】
0006700747.tif 000006
【図２】
0006700747.tif 000007
【図３】
0006700747.tif 000008
【図４】
0006700747.tif 000009
【図５】
0006700747.tif 000010